(57)【要約】【課題】インキ筒内に充填されたインキの色を正確に確認でき、インキの色と同色の合成樹脂で成形した色識別部材などが不要な筆記具用レフィールを提供する。【解決手段】透明の合成樹脂で成形されたインキ筒１内に着色剤が染料であるインキＩが充填された筆記具用レフィールにおいて、継手２および／またはペン体部３の尾端側に色認識部２４、３２を形成し、インキ筒の内周面と継手の色認識部の間、および／または透明の合成樹脂で成形された継手の内周面とペン体部の色認識部の間にインキが侵入する微小な隙間Ｓを形成する。また、インキ筒の内周面とペン体部の色認識部の間にインキが侵入する微小な隙間を形成する。【選択図】　図２
2004042575.tif 000002
【特許請求の範囲】
【請求項１】
透明の合成樹脂で成形されたインキ筒の先端開口にペン体部が継手を介して嵌着され、該インキ筒内に着色剤が染料であるインキが充填された筆記具用レフィールにおいて、
前記継手および／またはペン体部の尾端側に色認識部が形成され、インキ筒の内周面と該継手の色認識部の間、および／または透明の合成樹脂で成形された継手の内周面と該ペン体部の色認識部の間にインキが侵入する微小な隙間が形成されたことを特徴とする筆記具用レフィール。
【請求項２】
透明の合成樹脂で成形されたインキ筒の先端開口にペン体部が嵌着され、該インキ筒内に着色剤が染料であるインキが充填された筆記具用レフィールにおいて、
前記ペン体部の尾端側に色認識部が形成され、インキ筒の内周面と該ペン体部の色認識部の間にインキが侵入する微小な隙間が形成されたことを特徴とする筆記具用レフィール。
【発明の詳細な説明】
【０００１】
【発明の属する技術分野】
本発明は、筆記具の軸筒内に搭載されるレフィールに関し、更には、透明なインキ筒に着色剤が染料であるインキが直接充填されたレフィールに関するものである。
【０００２】
【従来の技術】
筆記具、例えばボールペンの軸筒を透明な合成樹脂で成形するとともに、軸筒内に搭載されるレフィールのインキ筒も透明な合成樹脂で成形すると、インキ筒内に直接充填されたインキの消費状況を目視で確認でき、またインキのエンドポイントも容易に確認できる利点があるので、かかる筆記具は数多く実用化されている。また、最近では、インキのカラフル化も進み、種々な色のインキが実用化されている。
【０００３】
【発明が解決しようとする課題】
ところで、着色剤に染料を使用するインキの場合、インキ筒に直接充填されたインキを目視した場合、例えば赤色のインキであっても、黒っぽく見え、インキ筒内のインキの色を正しく認識できない問題点がある。このため、例えばキャップや尾栓などにインキの色と同色の合成樹脂で成形した色識別部材を取り付けることなどが行われているが、部品点数が多くなる不具合がある。
【０００４】
そこで本発明は、インキ筒内に充填されたインキの色を正確に確認でき、インキの色と同色の合成樹脂で成形した色識別部材などが不要な筆記具用レフィールを提供することを目的とする。
【０００５】
【課題を解決するための手段】
かかる目的を達成するために、請求項１の発明は、透明の合成樹脂で成形されたインキ筒の先端開口にペン体部が継手を介して嵌着され、インキ筒内に着色剤が染料であるインキが充填された筆記具用レフィールにおいて、継手および／またはペン体部の尾端側に色認識部を形成し、インキ筒の内周面と継手の色認識部の間、および／または透明の合成樹脂で成形された継手の内周面とペン体部の色認識部の間にインキが侵入する微小な隙間を形成する。
【０００６】
また、請求項２の発明は、透明の合成樹脂で成形されたインキ筒の先端開口にペン体部が嵌着され、インキ筒内に着色剤が染料であるインキが充填された筆記具用レフィールにおいて、ペン体部の尾端側に色認識部を形成し、インキ筒の内周面とペン体部の色認識部の間にインキが侵入する微小な隙間を形成する。
【０００７】
【発明の実施の形態】
以下に、図面に基づいて本発明の実施の形態を具体的に説明する。図１は水性インキを使用するボールペンレフィールに本発明を適用した例を示すが、ボールペンに限られるものではない。図１において、透明な合成樹脂で成形されたインキ筒１の先端開口に、同じく透明な合成樹脂で成形された継手２が嵌着され、継手２の先端開口に、ペン体部であるボールペンチップ３が嵌着されている。インキ筒１内にはインキＩが充填され、インキの尾端側にグリース状の逆流防止体４が配置されている。
【０００８】
インキＩは、着色剤に染料を使用するものであり、染料の他に樹脂、増粘剤、水溶性溶剤を含み、必要に応じて分散剤、防腐剤などを含有し、静的には高い粘性を有し、筆記時のボールの回転により粘性が低下するゲルインキである。このインキＩの粘度は２０ｍＰａ・ｓ以上である。また、逆流防止体４は、ポリブデン、シリコーンオイル、鉱物油などを主成分とし、シリカゲル、金属石鹸などで適度に増粘させたものである。
【０００９】
透明な合成樹脂で成形された継手２は、図２に示すように、鍔部２２の前方がテーパー部２１あり、その中心孔に、前述のとおり、ボールペンチップ３が嵌着される。鍔部２２の尾端側が嵌着筒部２３であり、嵌着筒部２３の尾端側に嵌着筒部２３よりもやや小径の色認識部２４が連設されている。そして、嵌着筒部２３をインキ筒１の先端に圧入するが、色認識部２４が嵌着筒部２３よりもやや小径であるので、色認識部２４の外周面とインキ筒１の内周面の間にインキが侵入する微小な隙間Ｓができる。この隙間Ｓの寸法は、０．０５〜１．０ｍｍ程度の範囲が好ましい。
【００１０】
ボールペンチップ３はステンレスにて砲弾型に成形されたものであり、先端のボールハウス内に、例えば外径が０．５ｍｍであり、超硬合金からなるボール３１が回転自由に抱持されている。ボールペンチップ３内には小さなスプリング（図示せず）が配置されており、ボール３１はこのスプリングで弾発され、非筆記時においてボールペンチップ３先端の内向き突起に圧接している。つまり、ボール３１とボールペンチップ３先端の内向き突起により弁機構を構成しており、非筆記時は弁が閉じてインキがボールペンチップ３先端から流出せず、また、上向きにしたときも弁が閉じているのでボールペンチップ３先端から空気が内部に侵入しないようになっている。そして、筆記時においては、筆圧によりボール３１が後退して弁が開き、インキが流出するようになっている。尾端側の嵌着部３２が継手２の先端開口に圧入されるが、嵌着部３２の尾端側に、嵌着部３２よりもやや小径の色認識部３３が連設されている。従って、色認識部３３の外周面と継手２の内周面の間にインキが侵入する微小な隙間Ｓができる。この隙間Ｓの寸法も、０．０５〜１．０ｍｍ程度の範囲が好ましい。
【００１１】
このように、継手２の色認識部２４の外周面とインキ筒１の内周面の間、およびボールペンチップ３の色認識部３３の外周面と継手２の内周面の間に微小な隙間Ｓが形成され、この隙間Ｓにインキが侵入するので、この部分のインキは、黒っぽくならずにインキ本来の色、例えば赤色インキの場合は正確に赤色に見える。従って、例えばインキの色と同色の合成樹脂で成形した色認識部材などは不要である。
なお、微小な隙間Ｓは、継手２の色認識部２４の外周面とインキ筒１の内周面との間、またはボールペンチップ３の色認識部３３の外周面と継手２の内周面との間のいずれか一方にのみ設けてもよい。
【００１２】
図３は、着色剤が顔料の油性インキを使用するボールペンの例を示すが、透明な合成樹脂で成形されたインキ筒１が小径であるので、ボールペンチップ３は継手を介さずにインキ筒１の先端開口に直接圧入されている。そして、嵌着部３２の尾端側に、嵌着部３２よりもやや小径の色認識部３３が連設されていることは前記の例と同じである。従って、色認識部３３の外周面とインキ筒１の内周面の間にインキが侵入する微小な隙間Ｓができる。この隙間Ｓの寸法も、０．０５〜１．０ｍｍ程度の範囲が好ましい。そして、微小な隙間Ｓに侵入したインキは、黒っぽくならずにインキ本来の色、例えば赤色インキの場合は正確に赤色に見える。
【００１３】
【発明の効果】
以上説明したように、本発明は、継手の色認識部の外周面とインキ筒の内周面との間やボールペンチップの色認識部の外周面と継手の内周面、ないしはボールペンチップの色認識部の外周面とインキ筒の内周面との間に微小な隙間を設けたので、この隙間に侵入したインキによりインキの色を正確に認識でき、インキの色と同色の合成樹脂で成形した色識別部材などが不要な筆記具用レフィールとすることができる。
【図面の簡単な説明】
【図１】ボールペンレフィールの断面図である。
【図２】第１の実施例の要部断面図である。
【図３】第２の実施例の要部断面図である。
【符号の説明】
１　　インキ筒
２　　継手
２１　　テーパー部
２２　　鍔部
２３　　嵌着筒部
２４　　色認識部
３　　ボールペンチップ
３１　　ボール
３２　　嵌着部
３３　　色認識部
４　　逆流防止体
Ｉ　　インキ
Ｓ　　隙間
【図１】
2004042575.tif 000003
【図２】
2004042575.tif 000004
【図３】
2004042575.tif 000005
【手続補正書】
【提出日】平成14年7月24日(2002.7.24)
【手続補正１】
【補正対象書類名】明細書
【補正対象項目名】００１２
【補正方法】変更
【補正の内容】
【００１２】
図３は、着色剤が染料の油性インキを使用するボールペンの例を示すが、透明な合成樹脂で成形されたインキ筒１が小径であるので、ボールペンチップ３は継手を介さずにインキ筒１の先端開口に直接圧入されている。そして、嵌着部３２の尾端側に、嵌着部３２よりもやや小径の色認識部３３が連設されていることは前記の例と同じである。従って、色認識部３３の外周面とインキ筒１の内周面の間にインキが侵入する微小な隙間Ｓができる。この隙間Ｓの寸法も、０．０５〜１．０ｍｍ程度の範囲が好ましい。そして、微小な隙間Ｓに侵入したインキは、黒っぽくならずにインキ本来の色、例えば赤色インキの場合は正確に赤色に見える。